(57)【要約】【解決手段】  ランド部両隣のグルーブ部のアドレスが同一の部分を設け、その部分の有効性を示す選択マークを配置する。選択マークは両隣のグルーブ部のウォブルデータが同一のときと異なるときとでランド部のウォブル波形が変わることを利用して判定する。【効果】  フォ−マット効率の有利なウォブルアドレス方式を狭トラック化の可能なランド・グルーブ型記録と組み合わせて使用することが可能となるため、高密度記録の可能な大容量光ディスクを実現できる。【選択図】  図１８
2008041247.tif 000002
【特許請求の範囲】
【請求項１】
複数のトラックを有する情報記録媒体であって、前記トラックは、円周方向に少なくとも一つのセグメントを有し、前記セグメント毎にアドレス情報領域を有し、前記アドレス情報領域は、円周方向に第１のアドレス情報領域と第２のアドレス情報領域を有し、前記セグメント毎に、アドレス情報を読むための信号が記録されており、前記信号は、前記第１のアドレス情報領域と前記第２のアドレス情報領域のいずれが有効であるかを示す選択信号であることを特徴とする情報記録媒体。
【請求項２】
前記の選択信号は、前記セグメント毎に、第１のアドレス情報領域と第２のアドレス情報領域が交互に有効になるように配置されていることを特徴とする請求項１に記載の情報記録媒体。
【請求項３】
前記の選択信号は、前記トラック毎に第１のアドレス情報領域と第２のアドレス情報領域が交互に有効になるように配置されていることを特徴とする請求項１に記載の情報記録媒体。
【請求項４】
前記の選択信号は、前記セグメント毎に、第１のアドレス情報領域と第２のアドレス情報領域が交互に有効になるように配置されており、かつ、一トラックあたりのセグメント数は奇数であることを特徴とする請求項１に記載の情報記録媒体。
【請求項５】
前記第１のアドレス情報および前記第２アドレス情報は、トラックを同定する情報を含み、前記の同一のセグメント内では前記第１のアドレス情報領域に記録されているトラック同定情報と前記第２のアドレス情報領域に記録されているトラック同定情報は異なることを特徴とする請求項１に記載の情報記録媒体。
【請求項６】
前記アドレス情報はトラックを同定する情報と角度位置を同定する情報を含み、前記角度同定情報は複数のトラックに亘って同一であることを特徴とする請求項１に記載の情報記録媒体。
【請求項７】
前記アドレス情報はトラックを同定する情報と角度位置を同定する情報を含み、前記角度同定情報は一周のうちの少なくとも一部分を再生すれば角度が確定するように配置されていることを特徴とする請求項６に記載の情報記録媒体。
【請求項８】
前記アドレス情報は前記の複数のセグメントに亘ってインターリーブして配置されていることを特徴とする請求項１に記載の情報記録媒体。
【請求項９】
前記トラックは交互に配置された２系列の情報トラックからなり、前記２系列のうち一系列の情報トラックにおいては、第１のアドレス情報は隣接するどちらかの同一系列のトラックと同一でかつ第２のアドレス情報は隣接する他方の同一系列のトラックと同一であることを特徴とする請求項１に記載の情報記録媒体。
【請求項１０】
前記２系列のトラックはグルーブトラックとランドトラックであることを特徴とする請求項９に記載の情報記録媒体。
【請求項１１】
第１と第２のアドレス情報を有する情報記録媒体の情報再生方法であって、前記第１と第２のアドレス情報を再生／復号し、各々のアドレス情報の信頼性を評価し、前記第１と第２のアドレス情報のうちより信頼性の高いアドレス情報を選択して再生することを特徴とする情報再生方法。
【請求項１２】
前記評価は、複数のマークの振幅を積算して行うことを特徴とする請求項１１記載の情報再生方法。
【請求項１３】
前記情報記録媒体は、追記型の記録媒体であることを特徴とする請求項１１記載の情報再生方法。
【請求項１４】
第１と第２のアドレス情報と前記第１と第２のアドレス情報のいずれが有効かを示す選択信号を有する情報記録媒体を用い、前記選択信号を再生して判定するにあたり複数の選択信号を再生して行うことを特徴とする情報再生方法。
【発明の詳細な説明】
【技術分野】
【０００１】
本発明は、情報記録媒体の記録フォーマットすなわち記録領域識別のためのアドレス情報が配置されて情報記録媒体、ならびに、情報記録媒体の情報再生方法に関する。
【背景技術】
【０００２】
従来の光ディスクのトラック構造の一例を、図３および図４を用いて説明する。ディスク状記録媒体の半径方向に複数のグルーブトラック3及びランドトラック4が交互に配置されている。各トラックは半径方向に微小量ウォブルされている。また、各トラックは半径方向にそろった複数の円弧状セクタに分割されており、各円弧状セクタの先頭部には、記録領域を識別するアドレス情報を有するヘッダ6が配置されている。ヘッダ6は半径方向にそろっている。すなわち放射線上に配置されている。
【０００３】
図３はトラック先頭部のヘッダ部分すなわち記録位置の識別情報が記録されたアドレス情報部分の詳細を示したものである。図３でアドレス情報は第１の位置21、第２の位置22の２つの場所に半径方向にそろって放射状に配置されている。
前後のトラックはグルーブ部3同士、ランド部4同士で接続している。この図の例では各アドレス情報はその右側の情報トラックの記録領域に対応している。さらに、図の右側の溝部情報トラック3に対応するアドレス情報は第１の位置21に、溝間部情報トラック4に対応するアドレス情報は第２の位置22にピット23の形態で配置されている。すなわち、アドレス情報の情報トラックに沿う方向の位置が、隣接するトラック同志で異なっており、かつ、２つ隣のトラックとは一致するように配置されている。すなわち、ランドとグルーブトラックの境界線上で見ると、識別情報の配置位置を第一と第二の領域に分け、１トラックおきに交互に第一と第二の識別情報領域を用いる構成となっている。
【０００４】
ヘッダ部の識別情報は小さな窪み（ピット）によって、形成されており。これはディスクの製造時に基板の凹凸などとして、グルーブなどと同時に形成される。記録膜として相変化型記録膜（ＧｅＳｂＴｅ）を用いており、記録マークは非晶質領域の形で形成される。
【０００５】
以上の従来例については、たとえば、特許２８５６３９０などに詳しく記載されている。
【０００６】
一方、ヘッダ部に記録を行わずに、グルーブ部のウォブルによりアドレス情報を記録する別の従来例としては、例えば、特開平９−１０６５４９に記載された例がある。
【０００７】
この例では、アドレスデータを記録するのに周波数変調されたウォブルグルーブを用いている。ディスク一周約3360個のウォブルからなり、アドレスデータ１ビットを７周期のウォブルを用いている。ビット"１"を表す際には、この７周期のうち前半を４周期、後半を3周期となるようにしている。すなわち、前半が高周波数、後半が低周波数となるようになっている。周波数比は4:3である。ビット"０"はその逆で、前半部が３周期の低周波数ウォブル、後半部は４周期の高周波数のウォブルであらわされている。アドレスビット６０個でアドレス符号語が構成されている。トラック一周あたりのアドレス符号語数は８個である。アドレス符号語６０ビットのうち１４ビットはエラー検出の為のパリティ（ＣＲＣ）であり、また、先頭の４ビットは、この符号語に同期する為の同期情報である。残りのうち２０ビットはトラック情報（トラック番号）である。
【特許文献１】特許２８５６３９０
【特許文献２】特開平９−１０６５４９
【発明の開示】
【発明が解決しようとする課題】
【０００８】
しかしながら、前記特許２８５６３９０の従来例においては、ヘッダ部には、グルーブが無く、記録領域としては用いることができないため記録トラックの利用効率（フォーマット効率）が低下してしまう問題があり、大容量化実現には不利であった。
【０００９】
また、特開平９−１０６５４９記載の例では、アドレス情報をグルーブ部のみにしか配置することができなかった。なぜなら、隣接するトラック同志ではトラック番号が異なるため、パリティ（ＣＲＣ）を含めて６０ビットのうち１０ビット程度は必ず異なるデータとなっている。このため、グルーブ間のランド部に情報を記録しようとしても両隣のウォブル情報が異なるため、ウォブル情報を適切に再生することができない。また、ランドの部分では、両隣のウォブルの位相が揃っていない部分が生じるため、ランド部分の幅が狭い部分と広い部分ができてしまい、記録や再生時に隣接トラックからのクロストークが生じる原因となり、ランド・グルーブ記録には適用できない。このため、ランドもしくはグルーブのいずれか一方にしか記録できないため、この例でもやはり大容量化を図ることが難しい。
【００１０】
本発明の第１の目的は、フォ−マット効率が高く、かつ、狭トラック化の可能な高密度記録情報記録媒体を提供することにある。また、本発明の第２の目的は、高密度情報記録媒体の高信頼再生方法を提供することにある。
【課題を解決するための手段】
【００１１】
前記第１の目的を達成するため以下の手段を用いた。
（１）複数のトラックを有する情報記録媒体において、前記トラックが、円周方向に少なくとも一つのセグメントを有し、各セグメントはアドレス情報領域を有し、前記アドレス情報領域は、円周方向に第１のアドレス情報領域と第２のアドレス情報領域を有し、前記第１のアドレス情報領域と前記第２のアドレス情報領域のいずれが有効であるかを示す選択信号を、前記セグメント毎に配置した。
【００１２】
これにより、当前記トラックに有効な情報と、当前記トラックには無効で他のトラックに有効な情報とを混在して配置しながら、いずれが当前記トラックに有効であるかを識別することが可能になるため、一つのトラックに配置されたアドレス情報を他のトラックと共用することが可能になる。このため、たとえば、ランド・グルーブ型記録方式において、グルーブ（またはランド）部のみにアドレス情報を配置して、ランド（またはグルーブ）部においては隣接トラックに記録された情報を共用して、アドレス情報とすることができるため、高効率なアドレス情報を配置した記録媒体の提供が可能になる。
【００１３】
（２）前記の選択信号を、前記セグメント毎に、第１のアドレス情報領域と第２のアドレス情報領域が交互に有効になるように配置した。
【００１４】
これにより、第１のアドレス領域と第２のアドレス領域の両者を均等に利用できるため、どちらか一方に欠陥などが集中していたとしても確実にアドレス情報を再生できるため高信頼なアドレス検出に適する。
【００１５】
（３）前記の選択信号を、前記トラック毎に第１のアドレス情報領域と第２のアドレス情報領域が交互に有効になるように配置した。
【００１６】
これにより、隣接トラックとは使用するアドレス領域が異なることとなるため、隣接トラックのアドレス情報が当前記トラックアドレス情報再生信号に影響を及ぼすほど高密度化した場合にでも、隣接トラックの影響を受けない領域をアドレスとして使用することが容易になるため、高トラック密度記録に適する。とくにグルーブ部とランド部の両者を記録領域とするランド・グルーブ型光ディスクなどのアドレス方式とし最適である。
【００１７】
（４）前記の選択信号を、前記セグメント毎に、第１のアドレス情報領域と第２のアドレス情報領域が交互に有効になるように配置し、かつ、トラックあたり
のセグメント数を奇数とした。
【００１８】
これにより、第１のアドレス領域と第２のアドレス領域の両者を均等に利用できるため、確実な情報再生が可能になる。トラックあたりのセグメント数が奇数であることにより、セグメント毎に交互に有効領域を配置すると、必ず、１トラック先では、有効領域が反転することとなる。このため、隣接するトラックとのアドレスの共用が容易になる。
【００１９】
（５）前記第１のアドレス情報および前記第２アドレス情報は少なくともトラックを同定する情報を含み、前記の同一のセグメント内では前記第１のアドレス情報領域に記録されているトラック同定情報と前記第２のアドレス情報領域に記録されているトラック同定情報は異なるようにした。
【００２０】
これにより、セグメント内の第１のアドレス情報と第２のアドレス情報の一方のみを使用してトラックを同定することができる。
【００２１】
（６）前記アドレス情報はトラックを同定する情報と角度位置を同定する情報を少なくとも含み、前記角度同定情報が複数のトラックに亘って同一であることとした。
【００２２】
これにより、角度情報を確実に再生できると共に、他のトラックにアクセスした場合でも、角度情報が変わらないため、アクセス時の回転同期が容易になり、高信頼な高速アクセスに適する。
【００２３】
（７）前記アドレス情報は、トラックを同定する情報と角度位置を同定する情報を少なくとも含み、前記角度同定情報を一周のうちの少なくとも一部分を再生すれば角度が確定するように配置した。
【００２４】
これにより、ディスクへの回転同期に要する時間が低減でき、高速アクセスに適する。
【００２５】
（８）前記アドレス情報を前記の複数のセグメントに亘ってインターリーブして配置した。これにより、前記第１と第２のアドレス情報領域からの信号を交互に得ることができるため、安定した再生の実現が容易になる。
【００２６】
（９）前記トラックは交互に配置された２系列の情報トラックからなり、前記２系列のうち一系列の情報トラックにおいては、第１のアドレス情報は隣接するどちらかの同一系列のトラックと同一でかつ第２のアドレス情報は隣接する他方の同一系列のトラックと同一であることとした。
【００２７】
これにより、ランド・グルーブ記録のように２系列のトラックを有する情報記録媒体にアドレス情報を効率的に配置することが可能となる。このランド・グルーブ記録方式は狭トラック化に適するため、結果として高密度な情報記録媒体を提供することができる。
【００２８】
本発明の第２の目的を達成するため以下の手段を用いた。
【００２９】
（１０）第１と第２のアドレス情報を同時に再生／復号する手段と、各々のアドレス情報の信頼性を評価して、２つのアドレス情報のうちより信頼性の高いアドレス情報を選択して再生することとした。
【００３０】
これにより、信頼度に応じて確実にアドレスを再生でき、また、アドレスを読み直すことなく、必要な系列のアドレス情報を得ることできるため、高速アクセスが容易になる。
【００３１】
（１１）第１と第２のアドレス情報と前記第１と第２のアドレス情報のいずれが有効かを示す選択信号を再生して判定するにあたっては少なくとも複数の選択信号を再生することとした。
【００３２】
これにより、アドレスの誤判定・誤検出を防止することが容易になり、アドレス再生の信頼度が向上する。
【００３３】
また、本願発明は以下の構成をも包含する。
【００３４】
（１２）複数のトラックを有する情報記録媒体において、各々のトラックは、複数のセグメントを少なくとも有し、同一のトラックの少なくとも２つのセグメントは同一の情報を含む冗長性を有し、前記冗長性は、同一情報が配置された複数のセグメントから任意の部分を一部ずつ取り出して合成すると元の情報が復元できるように配置した。
【００３５】
これにより、セグメントの一部または全部が欠陥などによって万一再生できなかったとしても、他のセグメントの情報を用いることで、アドレス情報を確実に再生できるため信頼性が向上する。
【００３６】
（１３）複数のトラックを有する情報記録媒体であって、
各々のトラックには、複数のセグメントを少なくとも有し、同一のトラックの少なくとも２つのセグメントには同一の情報を含み、前記同一情報には同一のエラー検出／訂正のための情報が少なくとも付加され、前記アドレス情報と共に各セグメントに配置されるようにした。
【００３７】
これにより、セグメントの一部または全部が欠陥などによって万一再生できなかったとしても、他のセグメントの情報を用いることで、エラー検出／訂正を確実に行ってアドレス情報を再生できるため信頼性が向上する。
【発明の効果】
【００３８】
本発明の光ディスクは、フォ−マット効率の有利なウォブルアドレス方式を狭トラック化の可能なランド・グルーブ型記録と組み合わせて使用することが可能でとなるため、高密度記録の可能な大容量光ディスク、再生方法を実現できる。
【発明を実施するための最良の形態】
【００３９】
（実施例１）
図１８は本実施例の概要を示したものである。アドレス情報は角度情報部分とトラック情報に分けて表す。この角度情報31とトラック情報32は各トラック内でインターリーブして配置される。アドレス情報自体はグルーブ部にのみ溝ウォブル信号（溝部の半径方向への微小な変位）として配置される。このウォブル信号は溝が光スポットの中心部からずれることにより生じる再生光の反射光量分布の非対称性を利用して検出する、いわゆる、プッシュプル信号により検出することができる。このプッシュプル信号は溝に光スポットを追従させるトラッキングサーボ際のトラッキング誤差信号として用いるものと同様であるが、サーボは光ヘッドのレンズを移動させて行うため、サーボ追従帯域は数kHzである。したがって、ウォブル信号として数１００kＨｚ以上の信号を配置しておくと、サーボによって光スポットが溝を追従したとしても、このウォブル信号には追従しないため、溝が光スポットの中心からずれることによるプッシュプル信号が発生し、ウォブル信号が得られる。
【００４０】
ランド部は図２に示したように両隣のグルーブにはさまれた領域であるので、両隣のグルーブのウォブルが同一である場合には、ランド部も全く同様にウォブルされることなり、ランド部でも同一の情報が配置されることになる。しかしながら、両隣のグルーブ部分の情報が異なる部分では、ランド部分は純粋な「ウォブル」ではなく溝部の幅が変調されることになるため、ウォブル信号を再生することができない。本発明では、インターリーブされて配置された情報のうち角度情報310は、全トラックに亘って同じものとしている。インターリーブされたトラック情報部分320に関しては、領域を前後にさらに分割し、マーク330、第１のトラック情報領域331、第２のトラック情報領域332の３つに分割される。第１のトラック情報領域と第２のトラック情報領域に記録されるトラック情報は異なる。図ではグルーブトラックTr2-Gでは第１と第２のトラック情報として「Tr1」「Tr2」という情報が配置される。「Tr1」「Tr2」が第１と第２のどちらに記録されるかは各々のインターリーブされたトラック情報領域（セグメント）毎に異なり、交互に配置されるようになっている。隣接グルーブトラックTr3-Gでは第１と第２のトラック情報として「Tr2」「Tr3」という情報が配置される。この場合は「Tr2」の情報が先ほどのトラックでの「Tr2」の情報に隣接するように配置される。すなわち、「Tr2」という情報はランドトラックTr2-Lに隣接する２つのグルーブトラックでまったく同一であるため、ウォブル信号も同じになり、このランドトラックにおいても、ウォブル信号から「Tr2」という情報を再生することが可能となる。しかしながら、このランドトラックTr2-Lにおいては、隣接グルーブ部に「Tr1」あるいは「Tr3」という情報が記録されている領域では隣接するトラックの情報は異なっており、この領域ではランド部でのウォブル信号が普通には得られない。このため、ランド部においては。「Tr2」の情報のみが正確に再生されることになる。角度情報についてはすべてのトラックで共通であるため、ランドトラックにおいても、隣接トラックのグルーブウォブル信号と同一の信号が得られることは言うまでもない。
【００４１】
図１８の下部ではマークの部分に配置されるウォブル信号の様子を記載している。ランド部においては両隣のグルーブのウォブル信号が同一の際には前述したように、グルーブと同じ正弦波状の信号が得られるが、両隣のグルーブのウォブル信号が異なる場合には、ランド部分では両隣の信号が打ち消し合い、小さな振幅の信号しか得られない。このため、一対のウォブルマークを図１８左下のように配置しておくことにより、ランド部分では、トラック後とに、前の部分のウォブルが一致するトラックと後の部分のウォブルが一致するトラックが交互に現れることになる。したがって、一対のマーク同士の振幅を比較することによって、ランド部で、一対のマークのうち、どちら側の位相が一致しているかを判別することができる。このことを利用して、第１のトラック情報と第２のトラック情報のうち、どちらのアドレスが有効であるかをランド部において判定することができる。すなわち、一対のマークが有効領域を示す選択信号として利用できる。グルーブ部においては、前後のマークが同じか異なるかによって、第１と第２のどちらのトラック情報が有効であるかを判別することができる。以下の実施例では、本発明をもう少し詳細に具体的な数値を上げて説明する。
【００４２】
（実施例２）
本発明の、一実施例の光ディスクの部分拡大図を図２に示す。情報トラックは、ディスク状基板上にスパイラル状に設けられたグルーブ11およびランド12で構成されている。ユーザ情報は反射率の異なる記録マーク13としてランド部12とグルーブ部11の両者に記録される。トラック間隔（隣接するグルーブトラックとランドトラックの中心間の平均距離）は0.25μｍである。グルーブ部は基板上に設けられた溝部となっており、前記溝部の深さは約40nmである。本実施例は波長約405nm、開口比約0.85の光ヘッドにて記録再生を行うことを想定しているため、この40nmの溝深さは波長の６分の１の光学距離にほぼ等しい。溝部は、振幅約20nmppで半径方向に微小変位（ウォブル）して形成されている。
【００４３】
ウォブルには図１（ａ）のように、情報“１"には一周期の正弦波、情報“０"には位相が180度反転した正弦波を対応して情報が記録されている。ここでウォブルに記録されている情報はディスク上の任意の領域に光スポットを誘導してアクセスし記録領域を特定するための「アドレス情報」が主に記録されており、ディスクの出荷時にはあらかじめ生成されている。トラックの識別の必要があるため、各トラックのアドレス情報には異なる情報が書き込まれる。このため、図１（ｂ）に示したように、トラック毎にウォブルのパターンが異なり、このことを利用して、再生時にはトラックを同定することができる。図1（ｂ）では、説明のため、ウォブルの周期を短くして、半径方向のウォブルの振幅を強調して図示してある（実際にはウォブル振幅はトラック幅の約８％となっており図示できない為）。
【００４４】
ウォブルは溝の物理的な変位であるため、通常はディスク基板の成型時に金型から転写することで大量生産されるのが一般的である。本実施例の場合も、予め紫外レーザを用いて露光・現像・転写して製造（マスタリング）した金型（ニッケルスタンパ）を用いて、射出成型（インジェクション）装置により、1.1mm厚ポリカーボネート（ＰＣ）基板を成型転写して使用している。本実施例においては、このＰＣ基板上に相変化記録膜を積層し、その上に0.1mmの透明カバーシートを紫外線効果樹脂にて接着し、全体で1.2mm厚のディスクとした。
【００４５】
図５は各トラックにどのようにウォブルアドレス情報が配置されるかを示したものである。図５はグルーブトラックTGのみの情報を示している。各トラックは５つのワードから構成される。各ワードは１３個のセグメントS0〜S12からなり、さらに各セグメントは１０個のユニットU0〜U9からなる。
【００４６】
各ユニットは36周期のウォブルからなり、前半の１８ウォブルで角度情報を表し、後半の１８ウォブルで１ビットのトラック情報を表す。前半の角度情報部は同期符号（SY）かどうかを表す部分“y"と識別信号部“x"を含みx、yの組み合わせで全部で４通りのパターンになる。後半の１８ウォブルは１ビットのトラック情報“z"を表す。
【００４７】
各ユニットに含まれる前半部の情報（角度情報）は、SY1、SY2、w0、w1、w2およびs0-s4である。SY1、SY2はセグメントの先頭であることを示す同期マークである。信頼性（冗長性）を高めるために各セグメントに２個ずつ配置した。w0、w1、w2の３ビットでワード番号を表す。１トラックには５つのワードがあるので、この３ビットで０−４のワード番号を表す。s0-s4はセグメント番号で、各ワード内で何番目のセグメントであるかを表す。したがって、どれか１セグメント分の情報角度情報を再生するだけで、トラック内で周方向の位置を同定することができるが、一トラック内には５×13＝65個のセグメントがあるため、十分に冗長性があり、複数のセグメントの情報を再生して、総合判定することで信頼性を確保することができる。
【００４８】
各ユニットの後半部の情報は、１ユニットおきに交互にインターリーブして配置されており、奇数ユニットは第１のアドレス情報４ビット分（a0-a3）の情報を保持し、偶数ユニットは第２のアドレス情報４ビット分（b0-b3）を表す。先頭のu0およびu1には、どちらのアドレス情報が有効であるかを示すマーク信号"ｍａ"と"ｍｂ"が記録されている。この"ｍａ"、"ｍｂ"の再生信号でどちらのアドレスが有効であるかを判定する方法については後述する。
【００４９】
このように各セグメントには４ビット分の第１と第２のアドレス情報が各々４ビット保持されているため、１ワード分、すなわち13セグメントでは各々52ビットのアドレス情報が配置されている。
【００５０】
この52ビットの内訳を図６に示す。すなわち、24ビットのトラック番号と8ビットの予備ビットおよび20ビットのパリティが記録されている。このパリティは4ビットを1シンボルとしたガロア体ＧＦ（2４）上でのリードソロモン符号として構成されている。したがって、20ビットは５シンボルであるので、52ビット（13シンボル）中の２シンボルまでの誤りを訂正し、５シンボルまでの誤りを検出できる。図中a、bとあるのは、第１と第２のアドレス情報に対応している。
【００５１】
次に図７を用いてマーク（選択信号）について説明する。前述のようにグルーブ部分には選択信号である「マーク」を配置するが、この信号はグルーブ部ではそのマーク信号が１であるか０であるかに対応して、正弦波と位相が１８０度反転した正弦波を配置している。グルーブ間のランドトラックでは、両隣のグルーブトラックのウォブルが同一であるか、反転しているかによって、ウォブル信号の振幅が大きく異なる（理想的には反転している場合の振幅はゼロになるはずであるが、実際には種々の誤差や収差により微妙なアンバランスが生じるため、若干の信号が見えるのが普通である）。前述の実施例１の図１８で説明したのと同様に、ウォブル信号の振幅が大きく異なることを利用して、ランド部でマーク信号を判別することができる。
【００５２】
図８は、各セグメントでのマーク信号の配置の仕方を示したものである。この図で、TG(4n)というのは4n番目のグルーブトラックをあらわす。4n番目のグルーブトラックでは一対のマークma、mbに0、1を割り当てる。同一トラックのすべてのセグメントでマークの情報は同一である。4n+1番目のグルーブトラックでは一対のマークma、mbに0、0を割り当て、4n+2番目のグルーブトラックでは一対のマークma、mbに1、0を割り当て、4n+3番目のグルーブトラックでは一対のマークma、mbに0、0を割り当てる。このようにすることにより、図中楕円で示した部分のマーク信号が、隣接するグルーブ間のランド部分で共通となり、その他の部分ではウォブル信号の極性が反転することになる。このため、図７で説明したように、図８の楕円で囲んだ部分のランド部のマーク信号がその他の部分と比較して大きくなる。たとえば、ＴＧ（４ｎ）とＴＧ（４ｎ＋１）の間のランドトラックＴＬ（４ｎ）ではマークmaの振幅がmbよりも大きくなり、このことから、第１のアドレス情報領域"a"が有効であることが判別できる。同様にＴＧ（４ｎ＋１）とＴＧ（４ｎ＋２）の間のランドトラックＴＬ（４ｎ＋１）ではマークmbの振幅がmaよりも大きくなり、第2のアドレス情報領域"ｂ"が有効であることが判別できる。グルーブ部では、ｍａとｍｂが異なるときには"ａ"が有効と判断し、ｍａとｍｂが等しいときには"ｂ"が有効であると判断する。たとえば、グルーブＴＧ（４ｎ）ではｍａとｍｂが異なるため、第１のアドレス情報領域"ａ"が有効であることが判別できる。
【００５３】
この実施例ではマークは各セグメントに一対ずつあるため、一トラックあたりには６５対ある。また、この６５対は必ず同じ情報となるように配置されているため、複数のマークを検出して、その多数決により、信頼度よく有効領域の判定を行うことが可能となる。隣のトラックでは有効領域の位置が必ず前後反転しているということを利用すれば、複数のトラックにまたがる領域においても判定の信頼度を増すことができる。
【００５４】
図９は第１と第２のアドレス領域に配置されるアドレス情報を示したものである。グルーブトラックＴＧ（４ｎ）においては、第１のアドレス領域"ａ"にトラック番号４ｎが配置され、第２のアドレス領域"ｂ"にトラック番号４ｎ−１が配置されている。したがって、前述のようにグルーブトラックＴＧ（ｎ）では第１のアドレス情報領域"ａ"が有効であるため、有効なアドレス情報（トラック番号）は４ｎとなる。また、グルーブトラックＴＧ（４ｎ＋１）においては、第１のアドレス領域"ａ"にトラック番号４ｎが配置され、第２のアドレス領域"ｂ"にはトラック番号４ｎ＋２が配置されている。したがって、グルーブトラックＴＧ（４ｎ）とＴＧ（４ｎ＋１）の間のランドトラックＴＬ（４ｎ）では、前述のように、第２のアドレス情報領域が有効となる。第１のアドレス領域では、隣接する両側のグルーブトラックのアドレスはどちらも4nであるため、ランド部でグルーブ部と同様にウォブル信号からアドレスを再生することが可能となり、4nがアドレス情報として得られる。
【００５５】
本実施例（図５）では、１トラックのあたりウォブル数は5ワード×13セグメント×10ユニット×36ウォブル＝23400であり、ディスク上のすべてのトラックで一定である。すなわち、ウォブル自体は角速度一定のCAV形式で記録されている。ウォブルの周期はディスク最内周の半径22ｍｍの位置で6.4μｍ、最外周の半径58ｍｍの位置で15.5μｍとなる。
【００５６】
この実施例では、ランドトラックやグルーブトラックに記録されるユーザデータのチャネルビット長は0.06μｍである。記録はRLL（1,7）符号を用いて行うため、最短マーク長は0.12μｍ、ユーザビット長は約0.9μｍとなる。ディスク全体のユーザ容量は約50GB（片面）である。記録時には、ディスクの線速度が一定になるように制御する。すなわちCLV記録を行う。本実施例では、チャネルビット周波数が200MHzになるように線速度を12m/sに調整した。再生時には信号はPRML方式で再生される。ディスクの回転がCLVであるため、ディスクは内周では約5200rpmと早く回転し、外周では約1900Hzと遅く回転する。ウォブルの周波数は内周で約２ＭＨz、外周で約700ＫＨzになる。この周波数はチャネルビット周波数よりも2桁以上小さいため、ウォブル信号とユーザ記録信号が干渉する恐れはない。また、サーボの帯域数ｋＨｚと比べても2桁程度大きいため、サーボへの悪影響も起こる心配がない。
【００５７】
（実施例３）
実施例２の光ディスクを用いた光記録再生装置の一例を図１０を用いて説明する。図１１は本発明の光記録フォーマットを用いる光記録再生装置のブロック図を示したものである。ヘッド620の一部であるレーザ光源625（本実施例では波長約405nm）から出射された光はコリメータレンズ624を通してほぼ平行な光ビーム622へとコリメートされる。光ビーム622は光ディスク610上に、対物レンズ623を通して照射され、スポット621を形成する、その後、ビームスプリッタ628やホログラム素子629などを通してサーボ用検出器626や信号検出器627へと導かれる。
各検出器からの信号は加算・減算処理されトラッキング誤差信号やフォーカス誤差信号などのサーボ信号となりサーボ回路に入力される。サーボ回路は得られたトラッキング誤差信号やフォーカス誤差信号をもとに、対物レンズアクチュエータ631や光ヘッド620全体の位置を制御し、光スポット621の位置を目的の記録・再生領域に位置づける。検出器627の加算信号は信号再生ブロック641へ入力される。入力信号は信号処理回路645によってフィルタ処理、周波数等化処理後、デジタル化処理される。グルーブ（溝部）のウォブル情報は分割検出器627からの差動信号として検出され、信号再生ブロック641中のウォブル検出回路642へと入力される。ウォブル検出回路642は、ウォブル信号と同期したクロックを生成し、ウォブル波形を弁別する働きを持つ。ウォブル検出回路642により検出されたウォブル信号はアドレスビット検出回路643によってビット情報に変換され、その後、復号回路646によってアドレス情報として検出される。検出されたアドレス情報をもとに、記録再生処理の開始タイミング信号などが生成されユーザデータの復調回路644が制御される。同時にアドレス情報は制御回路（マイクロプロセッサ）にも送られ、アクセスなどに用いられる。
【００５８】
ウォブル信号検出回路の内部構成例を図１１（ａ）に示す。分割検出器627からの差動信号（プッシュプル信号）は、まずバンドパスフィルタ421に入力され必要帯域のみが抽出される。フィルタされた信号はA/Dコンバータ422に入力されデジタル化される。デジタル信号はPLL回路425へ入力される。PLL回路425は電圧制御発振器（ＶＣＯ）426、搬送波生成回路（分周・逓倍回路）424および周波数位相比較器423よりなる。本実施例の例ではＶＣＯ426はウォブル周波数の36倍のウォブルチャネルクロック周波数で発振させ、分周回路424により36分周され、搬送波が生成される。搬送波はデジタル化信号と位相及び周波数比較される。その比較結果をもとに光ディスクの回転数が制御されると同時に、ＶＣＯ426の発振周波数が制御され、結果として、ウォブル信号と同期した搬送波が生成される。
【００５９】
参照波生成回路429では参照波形として、ウォブル周波数と同一周期の正弦波信号を発生する。この参照波形とデジタル化されたウォブル信号との積演算を行い、その結果を積分器427で36ウォブルチャネルビット分積算する。積算結果はウォブルデータの0、1に対応して正または負の値となる。従って弁別回路428により、ウォブル信号の0、1を判定できる。
【００６０】
ランド部においては、隣接するグルーブのウォブル波形の位相が反転している場合に、図７で説明したように、ウォブル再生波形の振幅がほぼゼロになることがあり、この場合は、積分出力もほぼゼロとなる。従って、積分出力値を利用して、ランド部でのマーク信号の振幅の大小を判別することができる。前述したように、マーク信号に関しては、一対のマーク振幅の大小を比較するのが検出信頼性の観点から望ましいため、判定に当たっては弁別器内部にメモリ（レジスタ）を持ち、時系列的に入ってきたマーク信号の組の振幅を比較して弁別するようにするのが望ましい。
【００６１】
本実施例では後述するように、振幅を一対ごとに比較するのではなく、複数のマークの振幅を積算して比較することによりさらに信頼性を向上させている。この構成に関しては後述する。
【００６２】
また、実際の回路構成では、参照波形生成回路と掛け算器を一体化した形にし、掛け算器を固定値の積和演算すなわちデジタルFIRフィルタ型の構成にするのが、回路規模が小さくなり効率的である。
【００６３】
以上のように検出されたウォブル波形データは図10のアドレスビット検出回路643で処理されウォブル列の種別を判定するとともに、アドレスビットへの同期処理が行われアドレスビットが検出される。
【００６４】
図１１（ｂ）はこのアドレスビット検出回路の構成を示したものである。ウォブル検出回路からの２値化出力０、１は36ビットのシフトレジスタに入力され、パターン比較器423によりウォブル周期毎に、逐次、図５最下部のパターンと比較される。“10001"なるパターンは各ユニットの先頭部にしか現れないため、先頭が“10001"のときユニット同期が検出されたと判断し、そのとき、パターン比較器422は同期回路434へ擬似同期信号を送出する。同期回路はこの同期信号が３６ウォブルごとに検出された際に「同期」とみなし、同期信号を創出する。パターン比較器そのものから送出される擬似同期信号はウォブル検出時のノイズや欠陥により必ずしも正しい同期信号であるとは限らないため、同期回路434は周期性をチェックして、欠陥などあっても安定して創出される保護されたユニット同期信号を生成する。ユニット同期のタイミングでパターン比較器432からの出力を検出すると、図５のｘ、y、ｚの値が得られる。この値をユニット同期ごとにアドレス検出回路433に入力する。アドレス検出回路433は、ｘ、y、ｚのパターンから、各セグメント先頭のSY1及びSY2を判別して、角度同期情報であるワード番号及びセグメント番号を検出する。ワード・セグメント同期・判定回路435はこのワード番号やセグメント番号の連続性をチェックしワード・セグメントへの同期を判定ワード・セグメントへの同期が完了すると周内信号生成回路436により、角度位置情報が得られる。この角度位置情報を用いて、各セグメントの残りの情報、すなわち、トラック情報を再生する。
【００６５】
図１１の積分器427からの出力は図１２のA/B選択回路501に送出される。A/B選択回路501は同期信号（角度情報）を元にしたタイミング生成回路から得られる信号でA/Bを切り替えられる。また、図１１の２値化出力は図１２のA/B選択回路509に送出される。A/B選択回路509は同期信号（角度情報）を元にしたタイミング生成回路から得られる信号でA/Bを切り替えられる。両者ともA/Bの選択は偶数番目のユニットであるか奇数番目のユニットであるかによって切り替えられる（奇数ユニットがA、偶数ユニットがB、図５参照）。選択回路501によりA系列は第１系列の振幅メモリに送出され、B系列は第２系列の振幅メモリ505に送出される。また、選択回路509によりA系列は第１系列の復号器504に送出され、B系列は第２系列の復号器506に送出される。各系列の振幅メモリはマークの振幅を積算する。また、各系列の復号器は２値化出力をタイミング生成回路の出力に従って復号回路に送出し、随時エラー訂正・検出・復号処理を行う。比較回路503は第１と第２の系列の積算マーク振幅を比較し、その結果に従って、第１と第２の復号器の出力を選択し、トラック情報として出力する。この図１２の回路は図１０の復号回路646に相当する。
【００６６】
本実施例の回路によれば、個々のマークの振幅でマークの判定を行わず、複数のマークの振幅を積算して判定を行うことができるため、誤判定の心配がない。別の例として、振幅を積算するのではなく、判定結果（２値データ）を積算して、多数決判定する方法も適用可能で、いずれにしても、マークを非常に信頼性高く評価判定することができる。後者の多数決判定の例では、仮に、ひとつのマーク対の誤判定率が10％と極端に低信頼だとしても、マークは一周に６５個（対）あるためアドレスビットの誤検出率は10のマイナス15乗以下と実用上十分な高信頼性が確保できる。実際にはウォブルの誤判定率の実測値はせいぜい2-3％程度であるので、多数決後の誤判定率は10のマイナス32乗以下となり、非常に高い信頼性を確保できる。
【００６７】
図１２の各系列の復号器はタイミング生成回路により、１セグメント分のデータが順次入力される毎に復号を行うようにするのがよい。本実施例では、アドレスデータは１セグメント分の４ビットを１シンボルとするリードソロモン符号となっているが、同一トラックに属する５つのワードのアドレスデータ（＝トラック番号）は同一になるため、付随するパリティも同一となる。従って、個々のワードに属する13個のセグメントデータがすべて揃わなくても、先行するワードのセグメントデータと組み合わせれば同一の符号語が構成されるため、アドレス情報の復号ができる。たとえば、アクセス時にワード２のセグメントS3のデータから読み始めた場合、S4の再生で同期が確定し、S5からセグメントのアドレスデータを符号器に入力することができる。本実施例方式の場合、ワード２のS5からS12までをまず復号器に入力し、その後ワード３のS0からS4まで再生した時点で、すべてのワードのデータが揃うため復号されたアドレス情報を得ることができる。
この場合、本実施例では、パリティは訂正に用いないで検出にのみ用いることとする。従って、アドレス検出誤りを見逃す確率は10−６となり十分に小さいが、より高い信頼性が必要とする場合は連続する２セグメントの復号結果を比較すればよい。この場合見逃し確率は10−１２となる。
【００６８】
一方、従来のウォブルアドレスアドレス方式の場合、アドレス符号語はワード単位で構成されているので、ワードの途中から読み始めた場合は次のワードの先頭まで待ってはじめてアドレスを復号器に入力できるようになるため、アドレス再生時に待ち時間が発生し、高速アクセスには適さない。しかしながら、本実施例の方式では、待ち時間がほとんど発生せず、上述のとおり、ほぼ１ワード分の再生でアドレスデータの再生が可能になるため、高速アクセスが可能となる。
【００６９】
本実施例の再生方式の別の効果としては、記録や再生の途中にもセグメント毎にアドレス符号語を再生しスポットの現在位置を確認できるため、万一外部からの衝撃などにより、トラックはずれが生じたとしても、すぐに検出ができるため、モバイル用途など、外乱の多い環境で用いるのに適す。特に追記（ライトワンス）型記録の場合、トラックはずれが生じると「重ねがき」をしてしまい、ディスクのトラックが破壊されてしまう場合があるので、高速にトラックはずれが検出できる本実施例の方式はメリットが大きい。
【００７０】
（実施例４）
本発明の別の実施例のウォブルアドレスフォーマットを図１３を用いて示す。
【００７１】
本発明においても、情報トラックは、ディスク状基板上に、スパイラル状に設けられたグルーブ11およびランド12で構成されており、ユーザ情報は反射率の異なる記録マーク13として、ランド部12とグルーブ部11の両者に記録される。トラック間隔（隣接するグルーブトラックとランドトラックの中心間の平均距離）は、0.34μｍである。グルーブ部は基板上に設けられた溝部となっており、前記溝部の深さは約35nmである。本実施例は波長約405nm、開口比約0.65の光ヘッドにて記録再生を行うことを想定しているため、この35nmの溝深さは波長の７分の１の光学距離にほぼ等しい。溝部は、振幅約25nmppで半径方向に微小変位（ウォブル）して形成されている。
【００７２】
ウォブル溝のある基板は、あらかじめ、紫外レーザを用いて露光・現像・転写して製造（マスタリング）した金型：ニッケルスタンパを用いて、射出成型（インジェクション）装置により、0.6mm厚ポリカーボネート（ＰＣ）基板を成型転写して製造している。本実施例においては、このＰＣ基板上にライトワンス形記録膜を積層したのち、２組のディスクを記録膜面が接するように貼り合わせて、全体で1.2ｍｍの両面ディスクとした。
【００７３】
図１３は各トラックにどのようにウォブルアドレス情報が配置されるかを示したものである。図１３はグルーブトラックＴＧのみの情報を示している。各トラックは７つのワードから構成される。各ワードは８個のセグメントS0〜S7からなり、さらに各セグメントは７個のユニットU0〜U6からなる。
【００７４】
各ユニットは４０周期のウォブルからなり、前半の２０ウォブルで角度情報を表し、後半の２０ウォブルで２ビット（一組）のトラック情報を表す。角度情報部は同期符号（SY）を表す部分“ｙ"と角度情報部ビットからなり全部で４通りのパターンになる。本実施例ではウォブルはMSK（Minimum Shift Keying）方式により変調されてビットデータを表す。MSK方式ではウォブルデータ"０"は１周期の正弦波であらわされ、ウォブルデータ"１"は1.5周期の正弦波であらわされる。従って、“１"の部分は1.5倍の周波数になっている。
【００７５】
各々のユニットに含まれる前半部の情報（角度情報）は、 SY、w0、w1、w2およびs0-s3である。SYはセグメントの先頭であることを示す同期マークである。w0、w1、w2の３ビットでワード番号を表す。１トラックには５つのワードがあるので、この３ビットで０−７のワード番号を表す。s0-s2はセグメント番号0-7で、各ワード内で何番目のセグメントであるかを表す。したがって、どれか１セグメント分の角度情報を再生するだけで、トラック内で周方向の位置を同定することができるが、1トラック内には8×8＝64個のセグメントがあるため、十分に冗長性があり、複数のセグメントの情報を再生して、総合判定することで信頼性を確保することができる。
【００７６】
各ユニットの後半部は第１のアドレス情報を現す領域"a"と第２のアドレス情報を現す領域"b"に分かれている。セグメント先頭のユニットU0にはどちらのアドレス情報が有効であるかを示す信号"ｍａ"と"ｍｂ"が記録されている。この"ｍａ"、"ｍｂ"の再生信号でどちらのアドレスが有効であるかを判定する。残りのユニットには計６組のアドレスデータが含まれる。すなわち各セグメントには６ビット分の第１と第２のアドレス情報が各々４ビット保持されているため、１ワード分すなわち８セグメントでは各々４８ビットのアドレス情報が配置されている。
【００７７】
この４８ビットの内訳を図１４に示す。すなわち、３バイト（２４ビット）のトラック番号と３バイト（２４ビット）のパリティが記録されている。このパリティは８ビットを１シンボルとしたガロア体ＧＦ（2８）上でのリードソロモン符号として構成されている。したがって、１バイトまでの誤りを訂正し、３バイトまでの誤りを検出できる。図中a、bとあるのは、第１と第２のアドレス情報に対応している。
【００７８】
本実施例ではマーク信号やアドレス情報（トラック番号）の配置の仕方は実施例２と同様である。
すなわち、図８、図９に示したように配置した。
【００７９】
この実施例ではマークは各セグメントに一対ずつあるため、一トラックあたりには６４対ある。また、この６４対は必ず同じ情報となるように配置されているため、複数のマークを検出して、その多数決により、信頼度よく有効領域の判定を行うことが可能となる。隣のトラックでは必ず、有効領域の位置が前後反転していることを利用すれば、複数のトラックにまたがる領域においても、判定の信頼度を増すことができる。
【００８０】
本実施例（図１３）では１トラックのあたりウォブル数は8ワード×8セグメント×7ユニット×40ウォブル＝17290でディスク上のすべてのトラックで一定である。すなわち、ウォブル自体は角速度一定のCAV形式で記録されている。ウォブルの周期はディスク最内周の半径24ｍｍの位置で約９μｍ、最外周の半径58ｍｍの位置で約22μｍとなる。
【００８１】
この実施例では、ランドトラックやグルーブトラックに記録されるユーザデータのチャネルビット長は0.09μｍである。記録はRLL（1,7）符号を用いて行うため、最短マーク長は0.18μｍ、ユーザビット長は約1.35μｍとなる。ディスク全体のユーザ容量は約22GB（片面）である。記録時には、ディスクの線速度が一定になるように制御する。すなわちCLV記録を行う。本実施例では、チャネルビット周波数が150MHzになるように線速度を13.5m/sに調整した。再生時には信号はPRML方式で再生される。ディスクの回転がCLVであるため、ディスクは内周では約5800rpmと早く回転し、外周では約2400Hzと遅く回転する。ウォブルの周波数は内周で約1.7ＭＨz、外周で約700ＫＨzになる。この周波数はチャネルビット周波数よりも約2桁小さいため、ウォブル信号とユーザ記録信号が干渉する恐れはない。また、サーボの帯域数ｋＨｚと比べても2桁程度大きいため、サーボへの悪影響も起こる心配がない。
【００８２】
（実施例５）
本発明の別の実施例のウォブルアドレスフォーマット示す。
【００８３】
本発明の、情報トラックは実施例１と同様に図２に示したように、ディスク状基板上に、スパイラル状に設けられたグルーブ11およびランド12で構成されている。ユーザ情報は反射率の異なる記録マーク13としてランド部12とグルーブ部11の両者に記録される。トラック間隔（隣接するグルーブトラックとランドトラックの中心間の平均距離）は0.24μｍである。グルーブ部は基板上に設けられた溝部となっており、前記溝部の深さは約38nmである。本実施例は波長約405nm、開口比約0.85の光ヘッドにて記録再生を行う。溝部は、振幅約15nmppで半径方向に微小変位（ウォブル）して形成されている。
【００８４】
ウォブルには図１（ａ）のように、情報“１"には1周期の正弦波を、情報“０"には位相が180度反転した正弦波を対応して情報が記録されている。即ち、位相変調（Phase Shift Keying、PSK）方式によって記録されている。ここでウォブルに記録されている情報はディスク上の任意の領域に光スポットを誘導してアクセスし、記録領域を特定するためのアドレス情報が主に記録されており、ディスクの出荷時にはあらかじめ生成されている。
【００８５】
アドレス情報はトラックの識別の必要があるため、各トラックには異なる情報が書き込まれる。このため、図１（ｂ）に示したように、トラックごとにウォブルのパターンが異なり、これを利用して、再生時にはトラックを同定することができる。図1（ｂ）では、説明のため、ウォブルの周期を短くして、半径方向のウォブルの振幅を強調して図示してある（実際にはウォブル振幅はトラック幅の約６％となっており図示できない為）。
【００８６】
ウォブルは、あらかじめ、紫外レーザを用いて露光・現像・転写して製造（マスタリング）した金型：ニッケルスタンパを用いて、射出成型（インジェクション）装置により、0.6ｍｍ厚ポリカーボネート（ＰＣ）基板を成型転写して使用している。本実施例においてはこのＰＣ基板上に相変化追記型記録膜を積層し、その上に0.1ｍｍの透明カバーシートを紫外線効果樹脂にて接着し0.7ｍｍ厚ディスクとした。さらに、この、0.7mm厚ディスクをPC基板側を背中合わせにしてありあわせ、全体で1.４ｍｍ厚のディスクとした。
【００８７】
各トラックのウォブルアドレス情報は実施例２と同様に（図５に示したように）配置されている。すなわち、各トラックは５つのワードから構成される。各ワードは１３個のセグメントS0〜S12からなり、さらに各セグメントは１０個のユニットU0〜U9からなる。
【００８８】
各ユニットは36周期のウォブルからなり、前半の１８ウォブルで角度情報を表し、後半の１８ウォブルで１ビットのトラック情報を表す。前半の角度情報部は同期符号（SY）かどうかを表す部分“ｙ"と識別信号部“ｘ"を含みｘ、ｙの組み合わせで全部で４通りのパターンになる。後半の１８ウォブルは１ビットのトラック情報“ｚ"を表す。
【００８９】
各ユニットに含まれる前半部の情報（角度情報）は、SY1、SY2、w0、w1、w2およびs0-s4である。SY1、SY2はセグメントの先頭であることを示す同期マークである。信頼性（冗長性）を高めるために各セグメントに２個ずつ配置した。w0、w1、w2の３ビットでワード番号を表す。１トラックには５つのワードがあるので、この３ビットで０−４のワード番号を表す。s0-s4はセグメント番号で、各ワード内で何番目のセグメントであるかを表す。したがって、どれか１セグメント分の情報角度情報を再生するだけで、トラック内で周方向の位置を同定することができるが、一トラック内には５×13＝65個のセグメントがあるため、十分に冗長性があり、複数のセグメントの情報を再生して、総合判定することで信頼性を確保することができる。
【００９０】
各ユニットの後半部の情報は、１ユニットおきに交互にインターリーブして配置されており、奇数ユニットは系列"a"のアドレス情報４ビット分（a0-a3）の情報を保持し、偶数ユニットは系列"b"のアドレス情報４ビット分（b0-b3）を表す。先頭のU0およびU1にはどちらのアドレス情報が有効であるかを示す信号"ma"と"mb"が記録されている。
【００９１】
このように各セグメントには４ビット分の"ａ"と"ｂ"のアドレス情報が各々４ビット保持されているため、１ワード分、すなわち13セグメントでは各々52ビットの計104ビットのアドレス情報が配置されている。
【００９２】
この104ビットには第1のアドレス情報αと第2のアドレス情報βが図１５に示したように、インターリーブして配置されている。このインターリーブの仕方はセグメント毎に、"ａ"の位置が第１のアドレス情報αになり、"ｂ"の位置が第２のアドレス情報βになるか、その反対になるかが交互に反転するように配置されている。この第１と第２のアドレス情報にそれぞれ２４ビットのトラック番号と８ビットの予備ビットおよび２０ビットのパリティが記録されている。このパリティは４ビットを１シンボルとしたガロア体ＧＦ（２４）上でのリードソロモン符号として構成されている。したがって、２０ビットは５シンボルであるので、５２ビット（１３シンボル）中の２シンボルまでの誤りを訂正し、５シンボルまでの誤りを検出できる。
【００９３】
図１６は各セグメントでのマーク信号の配置の仕方を示したものである。この図でTG(4n)というのは4n番目のグルーブトラックをあらわす。4n番目のグルーブトラックのセグメントS0の一対のマークma、mbに0、1を、セグメントS1の一対のマークma、mbに0、0を割り当てる。同一トラックのでは、偶数セグメント（S0、S2、・・・）と奇数セグメント（S1、S3、・・・）に割り当てるマークの情報は異なるが、すべての偶数セグメントでマークの情報は同一であり、また、全ての奇数セグメントでのマークの情報は同一である。4n+1番目のグルーブトラックでは偶数セグメントのマークma、mbに0、0を割り当て、奇数セグメントのマークma、mbに１、0を割り当てる。4n+2番目のグルーブトラックで偶数セグメントのマークma、mbに1、0を割り当て、奇数セグメントのマークma、mbに１、1を割り当てる。さらに、4n+3番目のグルーブトラックでは偶数セグメントのマークma、mbに1、1を割り当て、奇数セグメントのマークma、mbに0、1を割り当てる。このようにすることにより、図中楕円で示した部分のマーク信号が隣接するグルーブ間のランド部分で共通となり、その他の部分では、ウォブル信号の極性が反転することになる。このため、前の実施例で説明したように、図１６の楕円で囲んだ部分のランド部のマーク信号がその他の部分と比較して大きくなる。たとえば、ＴＧ（４ｎ）とＴＧ（４ｎ＋１）の間のランドトラックＴＬ（４ｎ）の偶数セグメント（Ｓ０、Ｓ２、・・・）ではマークｍａの振幅がｍｂよりも大きくなり、このことから、第１のアドレス情報領域"ａ"が有効であることが判別できる。また、グルーブトラックＴＧ（４ｎ）とＴＧ（４ｎ＋１）の間のランドトラックＴＬ（４ｎ）の奇数セグメント（Ｓ１、Ｓ３、・・・）ではマークｍａの振幅がｍｂよりも大きくなり、このことから、第１のアドレス情報領域"ａ"が有効であることが判別できる。グルーブ部では、ｍａとｍｂが異なるときには"ａ"が有効で、ｍａとｍｂが等しいときには"ｂ"が有効であると判断する。たとえば、グルーブＴＧ（４ｎ）の偶数セグメントではｍａとｍｂが異なるため、第１のアドレス情報領域"ａ"が有効であることが判別できる。
【００９４】
この実施例ではマークは各セグメントに一対ずつあるため、一トラックあたりには６５対ある。また、この６５対は有効領域が必ず交互になるように配置されているため、複数のマークを検出して、その連続性により、信頼度よく有効領域の判定を行うことが可能となる。さらに、トラックあたりのセグメントの数が奇数であることより、トラックにまたがる部分でも隣のトラックでは必ず、有効領域の位置が前後反転する。このことを利用すれば、複数のトラックにまたがる領域においても、トラック境界を判定せずとも、セグメントごとに必ず有効領域が反転することを利用して、間便に、判定の信頼度を増すことができる。すなわち、この実施例の例では、有効領域にトラック境界情報を知る必要がないため、より間便に信頼性の高い有効領域の検出が可能となる。
【００９５】
図１７は第１と第２のアドレス領域に配置されるアドレス情報を示したものである。グルーブトラックTG（4n）の偶数セグメントにおいては、第１のアドレス領域"ａ"にトラック番号４ｎが配置され、第２のアドレス領域"ｂ"にトラック番号４ｎ−１が配置されている。また、グルーブトラックＴＧ（４ｎ）の奇数セグメントにおいては、第１のアドレス領域"ａ"にトラック番号４ｎ−１が配置され、第２のアドレス領域"ｂ"にトラック番号４ｎが配置されている。したがって、前述のようにグルーブトラックＴＧ（ｎ）の偶数セグメントでは第１のアドレス情報領域"ａ"が有効であるため、有効なアドレス情報（トラック番号）は４ｎとなり、また、グルーブトラックＴＧ（ｎ）の奇数セグメントでは、前述のように、第2のアドレス情報領域が有効であるため、同様に有効なアドレス情報（トラック番号）は4nとなる。ランドトラックにおいても、図１６の楕円で示した有効領域の側では、図１７に示した両側のグルーブトラック配置されているアドレス情報は同一であるため、ランド部でグルーブ部と同様にウォブル信号からアドレスを再生することが可能となるのは実施例２と同様である。
【００９６】
本実施例では１トラックのあたりウォブル数は5ワード×13セグメント×10ユニット×36ウォブル＝23400で、ディスク上のすべてのトラックで一定である。すなわち、ウォブル自体は角速度一定のCAV形式で記録されている。ウォブルの周期は、ディスク最内周の半径約22ｍｍの位置で6.4μｍ、最外周の半径約58ｍｍの位置で15.5μｍとなる。
【００９７】
この実施例では、ランドトラックやグルーブトラックに記録されるユーザデータのチャネルビット長は0.06μｍである。記録はRLL（1,9）符号を用いて行うため、最短マーク長は0.12μｍ、ユーザビット長は約0.9μｍとなる。ディスク全体のユーザ容量は、約100GB（両面）である。
記録時には、ディスクの線速度が一定になるように制御する。すなわちCLV記録を行う。本実施例では、チャネルビット周波数が200MHzになるように線速度を12m/sに調整した。再生時には信号はPRML方式で再生される。ディスクの回転がCLVであるため、ディスクは内周では約5200rpmと早く回転し、外周では約1900Hzと遅く回転する。ウォブルの周波数は内周で約２ＭＨz外周で約700ＫＨzになる。
この周波数はチャネルビット周波数よりも2桁以上小さいため、ウォブル信号とユーザ記録信号が干渉する恐れはない。また、サーボの帯域数ｋＨｚと比べても2桁程度大きいため、サーボへの悪影響も起こる心配がない。
【００９８】
本発明は前記実施例に限られるものではない。たとえば、記録層として、光磁気記録媒体や、色素型追記媒体を用いてもよい。また、２層以上の記録層に独立した情報を記録する多層記録媒体に用いてもよい。この場合も従来のランド・グルーブのアドレス方式とは異なり「ヘッダ」を用いる必要が無いため、層間の干渉を抑ええることが可能であり、都合がよい。多値記録方式に適用することも可能であることは言うまでもない。また、ウォブルの変調符号として、QPSKや振幅変調、周波数変調を用いても同様の効果が得られるのは言うまでもなない。いずれの場合でも、両側のグルーブ部のウォブル波形が同じである場合と異なる場合とでランド部で再生されるウォブルの波形が変わることを利用して、有効領域選択マークを検出・判定すればよい。
【００９９】
以上のように、本発明のウォブルアドレス方式はアドレス信号への同期が容易、すなわち、高速にアドレス信号の再生ができる。また、アドレス信号の効率的な変調方式と、冗長度により、高信頼にアドレス情報が検出の可能となる。この効果は特に、信号光量および再生品質の低下しがちな、青色光源を用いた光記録再生において効果的である。また、ウォブルにアドレス情報の他の付加データを保持することとしており、エンボスピットを用いることなしに、記録型光ディスクに必要な媒体情報を与えることができるため、高信頼（高セキュリティー）のディスクが安価かつ容易に実現できる。このウォブルによる付加データの保持は本発明の高検出効率ウォブルの導入によりはじめて実現できたものである。
【０１００】
また、本願発明は、以下の構成をも包含する。
１．複数のトラックを有する情報記録媒体であって、各々のトラックは、複数のセグメントを少なくとも有し、同一のトラックの少なくとも２つのセグメントには同一の情報を含む冗長性を有し、前記冗長性は、同一情報が配置された複数のセグメントから任意の部分を一部ずつ取り出して合成すると元の情報が復元できるように配置されたものであることを特徴とする情報記録媒体。
２．複数のトラックを有する情報記録媒体であって、各々のトラックには、複数のセグメントを少なくとも有し、同一のトラックの少なくとも２つのセグメントは同一の情報を含み、前記同一情報には同一のエラー検出／訂正のための情報が少なくとも付加され、前記アドレス情報と共に各セグメントに配置されていることを特徴とする情報記録媒体。
【図面の簡単な説明】
【０１０１】
【図１】本発明のウォブルアドレス方式の波形の一実施例を示す図および光ディスクの部分拡大図。
【図２】本発明の一実施例の光ディスクの部分拡大図。
【図３】従来の光ディスクフォーマット。
【図４】従来の光ディスクの部分拡大図。
【図５】本発明ウォブルアドレスフォーマットの構成例を示す図。
【図６】本発明ウォブルアドレスフォーマットの構成例を示す図。
【図７】本発明の選択マークの検出原理を示す図。
【図８】本発明ウォブルアドレスフォーマットの構成例を示す図。
【図９】本発明ウォブルアドレスフォーマットの構成例を示す図。
【図１０】本発明の光ディスクの記録再生システムのブロック構成を示す図。
【図１１】本発明のウォブル検出回路の一例。
【図１２】本発明の復号回路の一例のブロック図。
【図１３】本発明ウォブルアドレスフォーマットの構成例。
【図１４】本発明ウォブルアドレスフォーマットの構成例。
【図１５】本発明ウォブルアドレスフォーマットの構成例。
【図１６】本発明ウォブルアドレスフォーマットの構成例。
【図１７】本発明のウォブル列の自己相関関数及び相互相関関数。
【図１８】本発明の一実施例の原理構成を示す図。
【符号の説明】
【０１０２】
3…グルーブトラック、4…ランドトラック、6…ヘッダ、7…光スポット、11…グルーブ、12…ランド、13…記録マーク、21…第１の位置、22…第２の位置、23…ピット、31…角度情報、32…トラック情報、310…インターリーブされた角度情報、320…インターリーブされたトラック情報、330…選択信号（マーク）、331…第１のトラック情報、332…第２のトラック情報、421…バンドパスフィルタ、422…Ａ／Ｄ変換器、423…位相比較器、424…搬送波生成回路、425…ＰＬＬ回路、426…ＶＣＯ、427…積分器、428…弁別回路、429…参照波形生成回路、431…シフトレジスタ、432…パターン比較器、433…ＩＤ検出回路、434…同期回路、435…同期判定回路、436…、610…光ディスク…、620…光ヘッド、621…光スポット、622…光ビーム、623…対物レンズ、624…コリメタ−レンズ、625…レーザ、626…検出器、627…検出器、628…ビームスプリッタ、629…ホログラム素子、641…信号再生ブロック、642…ウォブル検出回路、643…アドレスビット検出回路、644…復調回路、645…信号処理回路、646…複号回路、651…レンズアクチュエータ。
【図１】
2008041247.tif 000003
【図２】
2008041247.tif 000004
【図３】
2008041247.tif 000005
【図４】
2008041247.tif 000006
【図５】
2008041247.tif 000007
【図６】
2008041247.tif 000008
【図７】
2008041247.tif 000009
【図８】
2008041247.tif 000010
【図９】
2008041247.tif 000011
【図１０】
2008041247.tif 000012
【図１１】
2008041247.tif 000013
【図１２】
2008041247.tif 000014
【図１３】
2008041247.tif 000015
【図１４】
2008041247.tif 000016
【図１５】
2008041247.tif 000017
【図１６】
2008041247.tif 000018
【図１７】
2008041247.tif 000019
【図１８】
2008041247.tif 000020
【手続補正書】
【提出日】平成19年9月28日(2007.9.28)
【手続補正１】
【補正対象書類名】特許請求の範囲
【補正対象項目名】全文
【補正方法】変更
【補正の内容】
【特許請求の範囲】
【請求項１】
複数のトラックを有する情報記録媒体であって、
前記トラックは、円周方向に少なくとも一つのセグメントを有し、
前記トラックのうちの少なくとも二つのセグメントは、同一のアドレス情報を含む冗長性を有し、
前記冗長性は、同一のアドレス情報が配置された複数のセグメントから、任意の部分を一部ずつ取り出して合成すると、元の情報を復元できる構成である
ことを特徴とする情報記録媒体。
【請求項２】
複数のトラックを有する情報記録媒体であって、
前記トラックは、円周方向に少なくとも一つのセグメントを有し、
前記トラックのうちの少なくとも二つのセグメントは、同一のアドレス情報を含み、
前記同一のアドレス情報は、少なくとも、同一のエラー検出またはエラー訂正のための情報を有する
ことを特徴とする情報記録媒体。
【請求項３】
前記エラー検出またはエラー訂正のための情報は、前記アドレス情報と共に前記セグメントに配置されている
ことを特徴とする請求項２記載の情報記録媒体。
【請求項４】
前記アドレス情報は、トラックを同定する情報と角度位置を同定する情報とを含み、
前記角度同定情報は、複数のトラックに亘って同一である
ことを特徴とする請求項１または２記載の情報記録媒体。